(57)【特許請求の範囲】
【請求項１】
浴室ユニットとともに改装される改装サッシユニットであって、
既設枠の内周側に設けられる改装サッシの改装枠にて形成される改装枠開口が、前記浴室ユニット側の制約により決定される理想的な最大開口幅より狭くなるように、前記既設枠と前記改装枠との間に介在される中間部材を有し、
前記改装枠は、当該改装枠と対向させて配置され、前記浴室ユニットに浴室開口を形成すべく加工された、当該浴室ユニットの壁に直接的または間接的に連結されることを特徴とする改装サッシユニット。
【請求項２】
請求項１に記載の改装サッシユニットであって、
前記浴室ユニット側の制約は、当該浴室ユニットが設置される既設建物の工法、前記浴室ユニットが設置される既設浴室の状態、及び、前記浴室ユニットの寸法のうちのいずれかと、前記壁が備えるべき必要な強度を確保するための壁幅、及び、前記改装枠と前記浴室ユニットとを連結するために必要な幅と、を含むことを特徴とする改装サッシユニット。
【請求項３】
請求項１または請求項２に記載の改装サッシユニットであって、
前記改装枠は、前記壁と額縁を介して間接的に連結され、
前記額縁は、見込み方向に沿う部位でなる見込み部と見付け方向に沿う部位でなる見付け部とを有しており、
前記見込み部と前記改装枠の浴室側の部位とが重ねられて固定され、前記見付け部と前記壁の前記浴室開口の周端部とが重ねられて固定されることを特徴とする改装サッシユニット。
【請求項４】
浴室ユニットと改装サッシとを改装する浴室の改装方法であって、
前記改装サッシの改装枠を改装前から設けられている既設枠の内周側に備える改装枠取付工程と、
前記浴室ユニットが有する壁が、取り付けられた前記改装枠と対向するように、前記浴室ユニットを設置する浴室ユニット設置工程と、
前記改装枠と対向する前記壁に浴室開口を形成する開口形成工程と、
前記改装枠と前記壁とを額縁にて接合して、前記改装枠にて形成される改装枠開口と前記壁に形成された前記浴室開口と繋ぐ額縁取付工程と、
を有すること特徴とする浴室の改装方法。
【発明の詳細な説明】
【技術分野】
【０００１】
本発明は、浴室用の改装サッシユニット及び浴室の改装方法に関する。
【背景技術】
【０００２】
従来、浴室を改装する場合には、浴室がユニット化されたユニットルームを既存の浴室が設けられていた位置に設置する一方で、浴室の窓は改装されることなく、新たに設置したユニットルームの開口と既存の窓枠とを接続する浴室の改装方法が知られている（例えば、特許文献１参照）。
【先行技術文献】
【特許文献】
【０００３】
【特許文献１】特開２００４−２７０２８９号公報
【発明の概要】
【発明が解決しようとする課題】
【０００４】
上記のような浴室の改装方法にて改装された浴室は、改装された真新しいユニットルームの中に既存のサッシが見えるため、折角改装したにも拘わらず、既存のサッシが美観を損なうという課題がある。また、既存の浴室窓の開口幅の方がユニットルームの開口幅より広い場合があり、この場合には既存のサッシの内側に拡幅枠を配置して、既存の浴室窓の開口幅とユニットルームの開口幅とを調整している。このため、ユニットルームが改装された後には、既存の窓の開口幅よりユニットルームの開口幅の方が狭くなり、既存のサッシが有する障子の戸先框に設けられた引手が見えず、障子の開閉操作性が低下するという課題がある。
【０００５】
本発明は、かかる課題に鑑みてなされたものであり、その目的とするところは、美観と開閉の操作性とに優れた、浴室の改装サッシユニット及び浴室の改装方法を提供することにある。
【課題を解決するための手段】
【０００６】
かかる目的を達成するために本発明の改装サッシユニットは、浴室ユニットとともに改装される改装サッシユニットであって、既設枠の内周側に設けられる改装サッシの改装枠にて形成される改装枠開口が、前記浴室ユニット側の制約により決定される理想的な最大開口幅より狭くなるように、前記既設枠と前記改装枠との間に介在される中間部材を有し、前記改装枠は、当該改装枠と対向させて配置され、前記浴室ユニットに浴室開口を形成すべく加工された、当該浴室ユニットの壁に直接的または間接的に連結されることを特徴とする改装サッシユニットである。  
このような改装サッシユニットによれば、改装枠開口が、浴室ユニット側の制約により決定される理想的な最大開口幅より狭くなるように、既設枠との間に中間部材が介在されるので、浴室ユニット側に形成する浴室開口の幅を最も広くしたとしても、改装枠開口が浴室ユニット側の浴室開口より広くなることはない。そして、浴室ユニット側の浴室開口より狭い改装枠開口を形成する改装枠が、浴室ユニットに浴室開口を形成すべく加工された壁に連結されるので、改装枠にて形成される改装枠開口に合わせて壁を加工して浴室開口を形成することにより、浴室ユニットの浴室開口と改装枠にて形成される改装枠開口とを繋ぐことが可能である。このため、浴室ユニットとともに改装サッシに改装されて美観に優れた浴室を施工することが可能である。また、改装枠開口は浴室ユニット側の浴室開口より狭いので、改装枠に取り付けられる障子の戸先框が浴室ユニットにより隠れることはない。このため、改装サッシの開閉操作性にも優れた改装サッシユニットを提供することが可能である。ここで、浴室ユニット側の制約により決定される理想的な最大開口幅とは、浴室ユニットの汎用性を確保するための規格により制限される設計値から決定される最も大きな開口の幅である。
【０００７】
かかる改装サッシユニットであって、前記浴室ユニット側の制約は、当該浴室ユニットが設置される既設建物の工法、前記浴室ユニットが設置される既設浴室の状態、及び、前記浴室ユニットの寸法のうちのいずれかと、前記壁が備えるべき必要な強度を確保するための壁幅、及び、前記改装枠と前記浴室ユニットとを連結するために必要な幅と、を含むことが望ましい。  
このような改装サッシユニットによれば、浴室ユニットが設置される既設建物の工法による制約、浴室ユニットが設置される既設浴室の状態による制約、及び、浴室ユニットの寸法のうちのいずれかによる制約、だけでなく、改装枠と浴室ユニットとを、浴室ユニットの壁の強度を確保し確実に連結して浴室ユニット及び改装サッシを施工することが可能である。このため、様々な既設建物に対する浴室ユニット及び改装サッシの改装において、十分な強度を確保しつつ納まりを綺麗に仕上げることが可能である。ここで、既設建物の工法による制約とは、例えば、在来工法のように柱を用いた工法の場合には、柱間や柱芯間の距離に対応させて設定される浴室ユニットのサイズ的制約、ツーバイフォー工法の場合には、浴室の壁間や壁芯間の距離に対応させて設定される浴室ユニットのサイズ的制約など、各種工法による制約を示している。また、浴室ユニットが設置される既設浴室の状態による制約とは、浴室ユニットが設置される既設浴室が、既設の壁を構成する内装材やタイル、モルタルなどが残存する場合や、内装材やタイル、モルタルなどが除去されて躯体が露出する場合など、既設浴室の状態により相違する浴室ユニットのサイズ的制約を示している。また、浴室ユニットの寸法による制約とは、規格によって特定のいくつかのサイズに予め定められている浴室ユニットのサイズ的制約を示している。また、壁が備えるべき必要な強度を確保するための壁幅とは、浴室の使用に耐えうる強度を備えることが可能な壁幅である。改装枠と浴室ユニットとを連結するために必要な幅とは、改装枠と浴室ユニットとの取り合い部分の見付け方向の幅である。
【０００８】
かかる改装サッシユニットであって、前記改装枠は、前記壁と額縁を介して間接的に連結され、前記額縁は、見込み方向に沿う部位でなる見込み部と見付け方向に沿う部位でなる見付け部とを有しており、前記見込み部と前記改装枠の浴室側の部位とが重ねられて固定され、前記見付け部と前記壁の前記浴室開口の周端部とが重ねられて固定されることが望ましい。  
このような改装サッシユニットによれば、改装枠の浴室側の部位と額縁の見込み部と重ねられて固定され、壁の浴室開口の周端部と額縁の見付け部とが重ねられて連結されるので、壁の浴室開口の周端部に見付け部が固定されて浴室外側に延出される額縁の見込み部に改装枠の浴室側の部位を連結することが可能である。このため、壁に形成された浴室開口の周縁部及び改装枠の浴室側端部との間を額縁にて覆って、改装枠と壁との間をより綺麗に仕上げることが可能である。
【０００９】
また、浴室ユニットと改装サッシとを改装する浴室の改装方法であって、前記改装サッシの改装枠を改装前から設けられている既設枠の内周側に備える改装枠取付工程と、前記浴室ユニットが有する壁が、取り付けられた前記改装枠と対向するように前記浴室ユニットを設置する浴室ユニット設置工程と、前記改装枠と対向する前記壁に浴室開口を形成する開口形成工程と、前記改装枠と前記壁とを額縁にて連結して、前記改装枠にて形成される改装枠開口と前記壁に形成された前記浴室開口と繋ぐ額縁取付工程と、を有すること特徴とする浴室の改装方法である。  
このような浴室の改装方法によれば、浴室ユニットを設置する前に改装枠が取り付けられており、浴室ユニットを設置した後に改装枠と対向する壁に浴室開口を形成するので、取り付けられた改装枠の位置に合わせるとともに改装枠の幅に合わせて浴室ユニットの壁に浴室開口を形成することが可能である。また、改装枠にて形成された改装枠開口と、浴室開口が形成された浴室ユニットの壁とを額縁にて連結するのでより綺麗に仕上げることが可能である。そして、壁の適切な位置に、適切な寸法にて形成された浴室開口と、改装枠にて形成される改装枠開口とが額縁にて繋がるので、額縁の内側に突出する物はない。このため、改装サッシの障子が有する戸先框は隠されないので、開閉の操作性を損なうことなく改装サッシユニットを備えることが可能である。
【発明の効果】
【００１０】
本発明によれば、美観と開閉の操作性とに優れた、浴室の改装サッシユニット及び浴室の改装方法を提供することが可能である。
【図面の簡単な説明】
【００１１】
【図１】本実施形態に係る改装サッシユニットを説明するための縦断面図である。
【図２】本実施形態に係る改装サッシユニットを説明するための水平断面図である。
【図３】本実施形態に係る改装サッシユニットの改装方法を説明するための水平断面図である。
【図４】浴室ユニット側の制約により決定される理想的な最大開口幅及び縦枠接合部材の見付け方向の幅の一例を説明するための図である。
【発明を実施するための形態】
【００１２】
以下、本発明の実施形態に係る改装サッシユニットについて図面を参照して説明する。  
本実施形態の改装サッシユニットは、例えば、浴室がユニット化された浴室ユニットの設置とともに改装される改装サッシと、改装サッシを既設枠に固定するための中間部材及び固定部材とを備えている。また、浴室ユニットの壁と改装サッシユニットとは改装額縁にて繋がれている。  
本実施形態では、図１、図２に示すように、建物等に設けられている引き違いタイプの既設サッシの既設枠５０の内周側に設けられる改装サッシユニット１について説明する。
【００１３】
以下の説明においては、建物等に取り付けられた状態の既設枠５０及び改装サッシ１０を室内側から見たときに、上下となる方向を上下方向、左右となる方向を左右方向または見付け方向、室内外方向である奥行き方向を見込み方向として示す。また、改装サッシユニット１及び浴室ユニット８０が備える各部材は、単体として説明する場合であっても建物等に設けられた状態で上下方向、見付け方向、見込み方向等となる方向にて方向を特定して説明する。また、既設枠５０により形成される既設枠開口、改装枠１１により形成される改装枠開口及び浴室ユニット８０の壁８１に形成する浴室開口８２は、いずれも、上側に取り付けられる枠部材より下側や浴室開口８２の上縁をなす壁より下側、下側に取り付けられる枠部材より上側や浴室開口８２の下縁をなす壁より上側、左側に取り付けられる枠部材より右側や浴室開口８２の左縁をなす壁より右側、右側に取り付けられる枠部材より左側や浴室開口８２の右縁をなす壁より左側、を、各開口及び枠部材の中央側又は内側として説明する。
【００１４】
以下の実施形態においては、建物に既に設けられている既存の既設枠５０と、既設枠５０を開口の内側から覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装縦枠、改装障子等として説明する。
【００１５】
既設サッシの既設枠５０は、引き違い障子用の枠体であり、既設サッシの既設障子（不図示）が案内される既設レール５１ａ、５１ｂ、５２ａ、５２ｂを有する既設上枠５１及び既設下枠５２と、既設障子の既設戸先框（不図示）と係合する既設係合片５３ａを有する左右の既設縦枠５３とが矩形状に枠組みされて建物開口に設けられている。尚、既設上枠５１、既設下枠５２、及び、左右の既設縦枠５３は押出成形部材であり、左右の既設縦枠５３は、既設障子と係合する既設係合片５３ａの形状及び位置は異なるものの、互いにほぼ左右対称の形状をなしている。そして、既設上枠５１及び既設下枠５２と、左右の既設縦枠５３とが矩形状に枠組みされた既設枠５０の内周側が既設枠開口をなしている。
【００１６】
既設枠５０は、既設上枠５１が躯体３をなす窓まぐさ３ａに固定され、既設下枠５２が躯体３をなす窓台３ｂに固定され、左右の既設縦枠５３が躯体３をなす柱３ｃに固定されている。
【００１７】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃと、室内側にて鉛直な面を形成する室内側上壁部５１ｄとを有している。既設内上レール５１ａ、既設外上レール５１ｂ、既設網戸上レール５１ｃは、上端側にて繋がっており、室内側上壁部５１ｄは既設内上レール５１ａの室内側に設けられている。また、既設上枠５１は、上部に設けられ上方に向かって突出された固定フィン５１ｅにて窓まぐさ３ａに固定されている。
【００１８】
既設内上レール５１ａ、既設外上レール５１ｂ、既設網戸上レール５１ｃは、いずれも見付け方向の全域に渡って鉛直方向に垂設された板状の部位である。そして、室内側から室内側上壁部５１ｄ、既設内上レール５１ａ、既設外上レール５１ｂ、既設網戸上レール５１ｃの順で配置され、見込み方向に互いに間隔を隔てて対面するように設けられている。また、既設内上レール５１ａと既設外上レール５１ｂとの下端は、ほぼ同じ位置まで延出されている。
【００１９】
既設下枠５２は、既設内障子（不図示）を案内するための既設内下レール５２ａと、既設外障子（不図示）を案内するための既設外下レール５２ｂと、既設網戸（不図示）を案内するための既設網戸下レール５２ｃと、室内側にて鉛直な面を形成する室内側下壁部５２ｄとが、見込み方向に互いに間隔を隔てて設けられている。
【００２０】
既設内下レール５２ａ、既設外下レール５２ｂ、既設網戸下レール５２ｃは、いずれも見付け方向の全域に渡って上方に突出させて設けられた板状の部位である。そして、室内側から室内側下壁部５２ｄ、既設内下レール５２ａ、既設外下レール５２ｂ、既設網戸下レール５２ｃ、の順で、見込み方向に互いに間隔を隔てて配置されている。また、室内側下壁部５２ｄ及び既設内下レール５２ａと、既設外下レール５２ｂと、既設網戸下レール５２ｃとは、室内側から室外側に向かって順次低くなるように階段状に形成されている。
【００２１】
既設下枠５２は、室内側の部位が窓台３ｂ上に載置されるとともに下方に向かって突出された固定フィン５２ｅにて窓台３ｂに固定されている。
【００２２】
既設縦枠５３は、見込み方向に沿う平面でなる既設縦枠本体部５３ｂと、既設縦枠本体部５３ｂから建物開口の中央側に突出され既設障子の既設戸先框が係合される既設係合片５３ａと、既設縦枠本体部５３ｂの室内側にて室内に臨む面を形成する室内縦壁部５３ｃと、既設枠５０の室外側にて配置され既設縦枠本体部５３ｂから既設枠開口の中央側に突出され既設網戸の既設縦框に挿入される既設挿入片５３ｄと、既設挿入片５３ｄと見付け方向において反対側に既設縦枠本体部５３ｂから突出された固定フィン５３ｅと、を有している。
【００２３】
改装サッシユニット１は、新たに取り付けられる改装サッシ１０と、改装サッシ１０を取り付けるための上枠接合部材３５、下枠接合部材３６、縦枠接合部材３７と、上枠接合部材３５を既設枠５０に固定するための上枠接合部材固定金具４０、改装下枠１１ｂを既設下枠５２側に固定するための下枠ブラケット３９、改装下枠１１ｂ及び下枠接合部材３６に固定され下側の改装額縁６０を支持する額縁支持部材４１と、を有している。ここで、上枠接合部材３５、下枠接合部材３６、縦枠接合部材３７は、中間部材に相当し、上枠接合部材固定金具４０、下枠ブラケット３９が固定部材に相当する。また、改装サッシ１０は、建物等の開口に直接新設可能な一般的なサッシである。すなわち、改装専用のサッシではない。
【００２４】
改装サッシ１０の改装枠１１も引き違い障子用の枠体であり、改装サッシ１０の改装障子１２が案内される改装レール１３ａ、１３ｂ、１４ａ、１４ｂを有する改装上枠１１ａ及び改装下枠１１ｂと、左右の改装縦枠１１ｃが矩形状に枠組みされている。改装上枠１１ａ、改装下枠１１ｂ、及び、左右の改装縦枠１１ｃは押出成形部材であり、左右の改装縦枠１１ｃは改装障子１２ａ、１２ｂとの改装係合片１５ａを除いて互いに左右対称の形状をなしている。そして、改装上枠１１ａ及び改装下枠１１ｂと、左右の改装縦枠１１ｃとが矩形状に枠組みされた改装枠１１の内周側が改装枠開口１１ｄをなしている。
【００２５】
改装上枠１１ａは、改装上枠本体１３と、改装上枠本体１３の浴室内側の部位に嵌合されて額縁６０と連結される上額縁固定部材１７とを有している。
【００２６】
改装上枠本体１３は、改装内障子１２ａを案内するための改装内上レール１３ａと、改装外障子１２ｂを案内するための改装外上レール１３ｂと、改装網戸７０を案内するための改装網戸上レール１３ｃとが、見込み方向に互いに間隔を隔てて設けられている。改装内上レール１３ａと、改装外上レール１３ｂと、改装網戸上レール１３ｃとは、改装上枠本体１３の見付け方向の全域に渡って鉛直方向に垂設されている。また、改装網戸上レール１３ｃは、改装上枠本体１３の最も室外側に設けられている。
【００２７】
また、改装上枠本体１３は、改装内上レール１３ａと改装外上レール１３ｂとの間にて分断されており、室外側の部位と室内側の部位とが断熱材７２を介して接合されて断熱性が確保されている。
【００２８】
改装上枠本体１３の、断熱材７２より室外側の部位の上面は、見込み方向の中央より室内側がほぼ水平面をなし、中央より室外側は室外側に向かって低くなるように僅かな傾斜が設けられた滑らかな面をなしている。また、断熱材７２より室内側は、室外側の部位より低く窪みが形成されている。このため、改装上枠本体１３は、水平面をなす部位より上方に突出しないように形成されている。
【００２９】
上額縁固定部材１７は、改装上枠本体１３の改装内上レール１３ａより浴室内側の部位に嵌合される嵌合部１７ａと、嵌合部１７ａから浴室内側に延出されて改装額縁６０にビス止めされる額縁固定部１７ｂとを有している。
【００３０】
改装下枠１１ｂは、改装下枠本体１４と、改装下枠本体１４の浴室内側の部位と重なって配置され額縁６０と連結される下額縁固定部材１９ａと、改装下枠本体１４の凹部を覆うカバー部材１９ｄと、を有している。
【００３１】
改装下枠本体１４は、改装内障子１２ａを案内するための改装内下レール１４ａと、改装外障子１２ｂを案内するための改装外下レール１４ｂと、改装網戸７０を案内するための改装網戸下レール１４ｃとが、見込み方向に互いに間隔を隔てて設けられている。改装下枠本体１４の室内側の端部は、改装サッシ１０の室内側に設けられた改装額縁６０と対向する平面を有する額縁対向部１４ｄが設けられている。額縁対向部１４ｄの下端は、後述する下枠接合部材３６に当接されるとともに、額縁支持部材４１の鉛直壁部４１ａと見込み方向に重なってビス６５にて固定される。
【００３２】
額縁対向部１４ｄと改装内下レール１４ａとを繋ぐ部位のほぼ中央には、下方に延出されて下枠接合部材３６に支持される室内側脚部１４ｅと、改装内下レール１４ａの下方に延出されて下枠接合部材３６に支持される中央脚部１４ｆと、改装外下レール１４ｂの下方に延出されて下枠接合部材３６に支持される室外側脚部１４ｇと、を有し、中央脚部１４ｆと室外側脚部１４ｇとを下端側にて連結する連結部１４ｈを有している。また、連結部１４ｈから室外側に、改装網戸下レール１４ｃとほぼ同じ位置まで延出された延出部１４ｉが形成され、延出部１４ｉの先端には、下枠接合部材３６と係合する下枠係合部１４ｋが設けられている。また、額縁対向部１４ｄの上端部は浴室内側に延出されて改装額縁６０に固定される額縁固定部１４ｌが設けられている。
【００３３】
下額縁固定部材１９ａは、改装内下レール１４ａと額縁対向部１４ｄとの間に配置される浴室側カバー部１９ｂと、浴室カバー部１９ｂから浴室内側に延出されて額縁固定部１４ｌと重ねられ、当該額縁固定部１４ｌとともに改装額縁６０に固定される額縁固定部１９ｃとを有している。
【００３４】
改装縦枠１１ｃは、改装縦枠本体１５と、改装縦枠本体１５の浴室内側の部位に嵌合されて改装額縁６０と連結される縦額縁固定部材１８とを有している。
【００３５】
改装縦枠本体１５は、見込み方向に沿う平面を有する改装縦枠見込部１５ｂと、改装縦枠見込部１５ｂから建物開口の中央側に突出され改装障子１２ａ、１２ｂの改装戸先框１２ｃが係合される改装係合片１５ａと、改装縦枠見込部１５ｂの室内側の縁部から改装枠１１の外周側に突出され縦枠接合部材３７の室内側に配置される室内側係合部１５ｃと、改装縦枠見込部１５ｂの室内側の縁部から改装枠１１の内周側に突出された縦枠内突出部１５ｄと、改装枠１１の最も室外側に配置され改装縦枠見込部１５ｂから改装枠１１の内周側に突出され改装網戸７０の改装縦框７０ａに挿入される改装挿入片１５ｅと、改装枠１１の室外側の縁部に改装挿入片１５ｅと見付け方向において反対側に突出された改装縦枠縁部１５ｆと、を有している。
【００３６】
縦額縁固定部材１８は、改装縦枠本体１５の浴室内側の部位に嵌合される嵌合部１８ａと、嵌合部１８ａから浴室内側に延出されて改装額縁６０にビス止めされる額縁固定部１８ｂとを有している。
【００３７】
上枠接合部材３５は、アルミニウム製の押し出し成形部材である。  
上枠接合部材３５は、既設上枠５１の下方を覆い平坦な下面をなして改装上枠本体１３が固定される上枠固定板部３５ａと、上枠固定板部３５ａの室外側の端部側にて上方に突出させて設けられ既設上枠５１に室内側から当接される既設上枠当接部３５ｂと、上枠固定板部３５ａの室外側の縁から下方に突出させて設けられ改装上枠本体１３が室内側から当接される改装上枠当接部３５ｃとを有している。
【００３８】
上枠固定板部３５ａは、ほぼ平坦な板状をなし、取り付けられた際に既設上枠５１の既設内上レール５１ａより室内側に突出し、突出した部位が既設上枠５１と対向して既設内上レール５１ａとともに躯体３の下方に位置するように形成されている。
【００３９】
上枠接合部材固定金具４０は、既設内上レール５１ａ及び既設外上レール５１ｂの下縁に当接され、既設内上レール５１ａの室内側及び既設外上レール５１ｂの室外側に延び下面が平坦な２つのレール当接部４０ａと、２つのレール当接部４０ａ間を繋ぎ上方に窪んだ部位が水平面を有する連結部４０ｂと、を備えたアルミニウム製の押出成形部材である。上枠接合部材固定金具４０は、連結部４０ｂの水平面をなす水平板部４０ｃと２つの当接部４０ａとを繋ぐ部位が既設外上レール５１ｂにビス止めされて既設上枠５１に固定されている。
【００４０】
下枠接合部材３６は、アルミニウム製の押し出し成形部材であり、室外側は既設下枠５２に固定された下枠ブラケット３９を介して既設下枠５２に固定されている。
【００４１】
下枠接合部材３６は、室内側にて鉛直面を形成する室内側鉛直壁部３６ａと、室内側鉛直壁部３６ａの上下方向における中央より下側から室外側に延出され、改装下枠１１ｂの室内側脚部１４ｅが載置される内脚部載置部３６ｂと、内脚部載置部３６ｂの室外側の縁から垂下された部位の下縁から室外側に延出された下室外側延出部３６ｃと、下室外側延出部３６ｃの室外側縁部に設けられ、改装下枠１１ｂの下枠係合部１４ｋと係合する係合凹部３６ｄと、係合凹部３６ｄから下方に垂設され、既設網戸下レール５２ｃに下枠ブラケット３９を介して固定される室外側固定部３６ｅと、室内側鉛直壁部３６ａの下端側から室内側に向かって下方に傾斜して躯体３に螺合されるビス６８にて固定される室内側下固定片３６ｆと、を有している。
【００４２】
下枠ブラケット３９は、既設下枠５２の既設外下レール５２ｂの室外側に当接されてビス止めされるレール固定部３９ａと、レール固定部３９ａがビス止めされた状態で、既設外下レール５２ｂと既設網戸下レール５２ｃとの間に位置して下端が既設下枠５２上に載置される下接合部材固定部３９ｂとが上方で繋がったアルミニウム製の押出成形部材である。下枠接合部材３６の室外側固定部３６ｅは、レール固定部３９ａがビス止めされた下枠ブラケット３９の下接合部材固定部３９ｂに室外側固定部３６ｅを貫通するビスにて固定されている。
【００４３】
左右の既設縦枠５３と改装サッシ１０との間に介在される縦枠接合部材３７は、同一のアルミニウム製押出成形部材であり、左右の向きが異なるように配置される。ここでは、左の既設縦枠５３と左の改装縦枠１１ｃとの間に介在される左の縦枠接合部材３７を例に挙げ、左の縦枠接合部材３７と右の縦枠接合部材３７との対応する部位には同符号を付して説明する。
【００４４】
左の縦枠接合部材３７は、水平断面形状が正方形状に近い長方形状をなす中空部３７ａを有している。縦枠接合部材３７の見付け方向の幅は、浴室ユニット８０と改装サッシユニット１との取り合い部分における納まり及び施工性、改装された改装サッシ１０の開閉操作における良好な操作性を確保、および、浴室ユニット８０と改装サッシユニット１の各々の汎用性を考慮して、所定の幅にて形成されている。縦枠接合部材３７の見付け方向の幅については、後述する。
【００４５】
長方形状をなす中空部３７ａの室外側の面をなす室外縦壁部３７ｂは、右側、すなわち改装枠開口１１ｄの中央側に延出されて、改装縦枠１１ｃの改装縦枠縁部１５ｆと係合する係合部３７ｃが形成されている。また、長方形状をなす中空部３７ａの室内側の面をなす室内縦壁部３７ｄも右側、すなわち改装枠開口１１ｄの中央側に延出されており、延出された先端が、改装縦枠１１ｃが有する改装縦枠見込部１５ｂの左側面に当接される改装縦枠側延出部３７ｅをなしている。また、室内縦壁部３７ｄの左側縁部から室内方向に延出されて躯体３に螺合されるビス６８にて固定される室内側縦固定片３７ｆが設けられている。室内側縦固定片３７ｆは、室内側に向かって漸次、改装枠開口１１ｄの中央から離れるように傾斜する傾斜部分を有している。
【００４６】
浴室窓の改装時に設置される浴室ユニット８０は、浴室空間を矩形状に区画する４枚の壁材８１ａと、４枚の壁材８１ａにて囲まれた空間の上部を閉塞する天井部材（不図示）と、下部を閉塞する床部材（不図示）及び浴槽（不図示）と、浴室内への出入口に設けられる開閉扉（不図示）等とを有し、ほぼ直方体状に形成された、所謂ユニットバスである。
【００４７】
浴室ユニット８０は、建物の躯体３となる柱３ｃ間に配置されて、例えばスラブ上に設置されるが、汎用性が求められるため、その外形サイズは規格により定められている。このため、柱３ｃ間の距離に基づいて、互いに対面する壁８１間の見つけ方向における間隔も定められている。
【００４８】
４枚の壁材８１ａは、いずれも平板状をなす樹脂製の部材であり、矩形状に配置されて隣接する端部同士は接合部材８３にて接合されている。
【００４９】
改装額縁６０は、改装上枠１１ａと浴室ユニット８０の壁８１に設けられた浴室開口８２の上縁となる壁８１とを繋ぐ上額縁部６１と、改装下枠１１ｂと浴室ユニット８０の壁８１に設けられた浴室開口８２の下縁となる壁８１とを繋ぐ下額縁部６２と、左右の改装縦枠１１ｃと浴室ユニット８０の壁８１に設けられた浴室開口８２の左右の縁となる壁８１とを繋ぐ縦額縁部６３とが矩形状に枠組みされて構成されている。上額縁部６１、下額縁部６２、縦額縁部６３は、いずれも見込み方向に沿う部位でなる見込み部６１ａ、６２ａ、６３ａと、見付け方向に沿う部位でなる見付け部６１ｂ、６２ｂ、６３ｂと、を有しており、上額縁部６１の見込み部６１ａの室外側の端部と、改装上枠本体１３に嵌合された上額縁固定部材１７の額縁固定部１７ｂとが、下額縁部６２の見込み部６２ａの室外側の端部と、改装下枠本体１４の額縁固定部１４ｌ及び下額縁固定部材１９ａの額縁固定部１９ｃとが、縦額縁部６３の見込み部６３ａの室外側の端部と、改装縦枠本体１５に嵌合された縦額縁固定部材１８の額縁固定部１８ｂと、がそれぞれ重ねられてビス止めされ、見付け部６１ｂ、６２ｂ、６３ｂと壁８１の浴室開口８２の周端部とが重ねられてビス止めされる。
【００５０】
本実施形態の改装サッシユニット１及び浴室ユニット８０の改装方法は、図３に示すように、まず、図３（ａ）に示すような既設障子が取り外された既設枠５０の内周側に、図３（ｂ）に示すように、改装サッシ１０を取り付け（改装枠取付工程）、次に図３（ｃ）に示すように、浴室ユニット８０を設置する（浴室ユニット設置工程）。このとき、浴室ユニット８０の１枚の壁８１が、取り付けられた改装枠１１とほぼ対向するように設置する。
【００５１】
次に、図３（ｄ）に示すように、取り付けられた改装枠１１のサイズに合わせて、改装枠１１と対向している壁８１に浴室開口８２を形成する（開口形成工程）。その後、図３（ｅ）に示すように、壁８１に形成された浴室開口８２の周縁部と改装サッシ１０の改装枠１１とを繋ぐように改装額縁６０を固定する（額縁取付工程）。  
具体的には、まず、改装枠１１を矩形状に枠組みする。
【００５２】
次に、下枠接合部材３６を、枠組みされた改装枠１１の改装下枠１１ｂに、また、縦枠接合部材３７を枠組みされた改装枠１１の左右の改装縦枠１１ｃにそれぞれ取り付ける。このとき、改装下枠１１ｂの下枠係合部１４ｋに下枠接合部材３６の係合凹部３６ｄを係合させて、改装下枠１１ｂの下側に下枠接合部材３６を配置すると、額縁対向部１４ｄが室内側鉛直壁部３６ａの室外側に配置されるので、額縁対向部１４ｄと室内側鉛直壁部３６ａとが重なった部位の室内側に、さらに額縁支持部材４１の鉛直壁部４１ａを重ねるとともに、額縁対向部１４ｄに室内側鉛直壁部３６ａ及び鉛直壁部４１ａを皿ビス６５にて固定する。
【００５３】
改装枠１１に下枠接合部材３６及び左右の縦枠接合部材３７が取り付けられた状態では、改装上枠１１ａの水平面をなす上面より上方に突出する部位はなく、また、左の縦枠接合部材３７より左側及び右の縦枠接合部材３７のより右側に突出する部位はない。
【００５４】
一方、既設上枠５１には上枠接合部材固定金具４０を取り付け、さらに上枠接合部材３５を取り付けておく。上枠接合部材固定金具４０は、既設上枠５１の下方から、連結部４０ｂを既設内上レール５１ａと既設外上レール５１ｂとの間に挿入し、連結部４０ｂの水平面をなす水平板部４０ｃと一方の当接部４０ａとを繋ぐ部位を既設外上レール５１ｂにビス止めして既設上枠５１に固定しておく。既設外上レール５１ｂにビス止めされた上枠接合部材固定金具４０は、既設内上レール５１ａと既設外上レール５１ｂとに押し当てられて安定した状態で既設上枠５１に取り付けられる。
【００５５】
次に、既設上枠５１に取り付けられた上枠接合部材固定金具４０の下方から上枠接合部材３５を配置して皿ビスにて固定する。このとき、既設上枠当接部３５ｂに設けられた水密材３４を既設上枠５１が有する既設網戸レール５１ｃの室内側の面に押圧して圧縮させる。そして、水密材３４が圧縮された状態にて、上枠固定板部３５ａの下方から上枠固定板部３５ａを貫通する皿ビス６５を進入させて上枠接合部材固定金具４０の連結部４０ｂに螺合するとともに、上枠固定板部３５ａの、既設内上レール５１ａより室内側に突出する部位を窓まぐさ３ａまで至る皿ビス６７にて固定する。  
また、既設下枠５２の既設外下レール５２ａには、見付け方向に適宜間隔を隔てて例えば３カ所に下枠ブラケット３９を取り付けておく。
【００５６】
次に、下枠接合部材３６及び縦枠接合部材３７が取り付けられた改装枠１１を、上枠接合部材３５及び下枠ブラケット３９が取り付けられた既設枠５０の内側に室内側から配置する。具体的には、下枠接合部材３６及び縦枠接合部材３７が取り付けられた改装枠１１の下部が室外側に、上部が浴室内側に位置するように改装枠１１を傾斜させた状態で、上枠接合部材３５が取り付けられた既設上枠５１と及び下枠ブラケット３９が取り付けられた既設下枠５２との間に移動させる。そして、改装枠１１に取り付けられた下枠接合部材３６を既設下枠５２に取り付けられた下枠ブラケット３９の上方近傍に位置させて、改装枠１１の上部を室内側から室外側に移動させ、改装枠１１を既設枠５０の内周側に配置する。このとき、下枠接合部材３６は窓台３ｂに載置され、改装上枠１１ａの上面と上枠接合部材３５の下面とが対向する。
【００５７】
そして、改装上枠１１ａの改装網戸レール１３ｃの室外側の面を改装上枠当接部３５ｃに押圧し改装上枠当接部３５ｃに設けられた水密材３４を圧縮させた状態で位置決めする。
【００５８】
位置決めされた、下枠接合部材３６及び縦枠接合部材３７が取り付けられた改装枠１１は、改装上枠１１ａの下方から、下枠接合部材３６の室内側下固定片３６ｆの室内側から、縦枠接合部材３７の室内側縦固定片３７ｆの室内側から、それぞれ貫通させたビスを躯体３に螺合して固定する。また、室外側からは、下枠接合部材３６の室外側固定部３６ｅを貫通するビスを下枠ブラケット３９の下接合部材固定部３９ｂに螺合させて固定する。
【００５９】
このようにして、改装サッシユニット１の改装枠１１を取り付けた後に、躯体３の柱３ｃ間に位置させて浴室ユニット８０を設置する。このとき、既に取り付けられている改装枠１１と浴室ユニット８０が有する１枚の壁８１とが対向するように浴室ユニット８０を配置する。設置された浴室ユニット８０の壁８１には浴室開口８２は設けられていない。このため、浴室ユニット８０の、改装枠１１と対向するように配置された壁８１を加工して浴室開口８２を形成する。  
浴室開口８２の加工にあたっては、浴室ユニット８０側の制約を考慮して加工する。浴室開口８２の加工については後述する。
【００６０】
次に、浴室ユニット８０の壁８１に形成された浴室開口８２に、矩形状に枠組みした
改装額縁６０の見込み部６１ａ、６２ａ、６３ａ側を挿入し、見付け部６１ｂ、６２ｂ、６３ｂを壁８１の浴室開口８２の周端部に浴室内側から当接させてビス止めする。このとき、改装額縁６０と改装枠１１とは、改装額縁６０の見込み部６１ａ、６２ａ、６３ａの室外側の端部と、改装上枠本体１３に嵌合された上額縁固定部材１７の額縁固定部１７ｂ、改装下枠本体１４の額縁固定部１４ｌ及び下額縁固定部材１９ａの額縁固定部１９ｃ、改装縦枠本体１５に嵌合された縦額縁固定部材１８の額縁固定部１８ｂと、が改装枠１１の内外方向に重なるように配置してビス止めする。また、改装額縁６０と浴室ユニット８０とは、改装額縁６０の見付け部６１ｂ、６２ｂ、６３ｂと壁８１の浴室開口８２の周端部とが見込み方向に重なるように配置してビス止めする。  
このように改装額縁６０にて、改装枠１１と浴室ユニット８０とが連結されて改装が完了する。
【００６１】
次に、浴室開口８２の加工について説明する。  
一般的には、浴室の開口は、採光や換気を考慮してできるだけ大きな開口を形成することが望まれる場合がある。このため、既に設けられている既設枠の内周側に改装枠を取り付けるための最小サイズの中間部材を介在させて、既設枠に改装枠を取り付ける場合が多い。
【００６２】
一方、上記実施形態のような浴室ユニットは汎用性を確保するために躯体のサイズに合わせて対向する壁の内側寸法が規格にて定められている。このため、浴室ユニットの浴室開口は浴室ユニットの内側寸法に制約されるので、既設の窓サイズに合わせて開口を形成することはできず、浴室ユニットの内側寸法より狭い幅にしか開口を形成することができない。このように改装された浴室は、改装サッシが有する改装障子の戸先框が、浴室開口の脇の壁にて隠されてしまうため、浴室側からは見ることができず開閉操作しにくいばかりか、戸先框に指がとどかず開閉操作できない虞がある。
【００６３】
このため、改装障子の戸先框が浴室開口の脇の壁にて隠れないように、浴室ユニットの浴室開口に合わせて、既設枠と改装枠との間に介在させる中間部材を増やしたり、また、見付け方向の幅が広い中間部材を介在させることが考えられる。しかしながら、中間部材を増やして連ねると美観が損なわれ、また、見つけ方向の幅が広い中間部材を用いるためには、数多くの種類の幅にて形成された複数種類の中間部材を予め用意する必要があるため、管理が煩雑になるとともに、コストが高騰する虞がある。  
このため、形成される改装枠開口が浴室ユニット側の制約により決定される設計上の中央値（理想的な値）より狭くなるような中間部材を、既設枠と改装枠との間に介在させることとした。
【００６４】
このとき、中間部材の幅を、形成される改装開口が浴室ユニット側の制約により決定される設計上の中央値とせずに、形成される改装開口が浴室ユニット側の制約により決定される設計上の中央値より狭くなるような幅とするのは、多くの部材が重ねて取り付けられるからである。具体的には、躯体３に設けられた既設枠５０に取り付けられる改装サッシユニット１の改装枠１１、上枠接合部材３５、下枠接合部材３６、縦枠接合部材３７、上枠接合部材固定金具４０、下枠ブラケット３９、及び、躯体３上に設置される浴室ユニット８０の部品寸法のばらつきや、それらの取り付けや施工に伴う精度のばらつき、また、壁８１に浴室開口８２を形成する加工精度のばらつき等が生じるため、これらを積み上げた設計上の寸法公差や誤差等を吸収しなければならないからである。
【００６５】
そこで、本願の発明者は、寸法公差や誤差等を許容しつつも単一の中間部材にて改装枠１１を既設枠５０に取り付ける方法として、既設枠５０に取り付けられる改装サッシ１０の改装枠１１、及び、躯体３上に設置される浴室ユニット８０の部品精度や、それらの取り付けや施工に伴う精度、また、壁８１に浴室開口８２を形成する際の加工精度などが積み上げられた寸法の誤差等を吸収するための吸収代を、予め中間部材としての縦枠接合部材３７に含める構成した。すなわち、浴室ユニット８０及び改装サッシユニット１を改装した際に、寸法公差や誤差等により仕上がり寸法が設計上の中央値でなかったとしても、浴室ユニット８０側に形成された浴室開口８２の幅より改装枠開口１１ｄの幅の方が狭くなるような縦枠接合部材３７を用いて、改装枠１１を既設枠５０の内周側に設けることとした。
【００６６】
具体的には、例えば、浴室ユニット８０を設置する躯体３の柱芯３ｄ間の距離が１８２０ｍｍであり、このサイズに適した浴室ユニット８０の柱３ｃ間に沿う方向における内側寸法が１６００ｍｍであり、既設枠５０にて形成される既設枠開口の幅が１６５０ｍｍである場合について説明する。このとき、浴室ユニット８０の壁８１に浴室開口８２を加工した後の壁８１が備えるべき必要な強度を確保するために必要な、浴室開口８２形成後の浴室開口８２の脇に残る壁８１の部位の必要な幅は、及び、改装枠１１と浴室ユニット８０とを連結するために必要な見付け方向の幅は、例えば４０ｍｍであるとして説明する。
【００６７】
ここで、壁が備えるべき必要な強度とは、浴室の使用に耐えうる壁の強度である。また、改装枠１１と浴室ユニット８０とを連結するために必要な幅とは、改装枠１１と浴室ユニット８０との取り合い部分における見付け方向の幅である。例えば本実施形態では、改装枠１１と浴室ユニット８０との間に介在される額縁６０を取り付けるために必要な幅であり、浴室開口８２が形成される壁材８１ａと接合部材８３とを接合するための取り合い部分の幅と、浴室開口８２が形成される壁材８１ａと額縁６０とを接合するための取り合い部分の見付け方向の幅を示している。また、壁材８１ａと接合部材８３との取り合い部分の幅、及び、壁材８１ａと額縁６０との取り合い部分の見付け方向の幅には、壁材８１ａと接合部材８３との間、壁材８１ａと額縁６０との間をシールするシール材６４を設けるための幅も含まれる。
【００６８】
この場合には、浴室ユニット８０側の制約により決定される浴室開口８２の理想的な最大開口幅ＷＭＡＸは、図４に示すように、柱芯３ｄ間の距離１８２０ｍｍに適した浴室ユニット８０の壁間距離（内側寸法）１６００ｍｍから、壁８１に浴室開口８２を加工した後の壁８１の強度を確保するために必要な左右の壁幅４０ｍｍを引いた幅となり、（式１）にて示される。  
ＷＭＡＸ＝１６００−４０×２
＝１５２０  ・・・（式１）
【００６９】
しかしながら、この寸法にて施工した場合には、  躯体３に設けられた既設枠５０に取り付けられる改装サッシユニット１の改装枠１１、上枠接合部材３５、下枠接合部材３６、縦枠接合部材３７、上枠接合部材固定金具４０、下枠ブラケット３９、及び、躯体３上に設置される浴室ユニット８０の部品寸法のばらつきや、それらの取り付けや施工に伴う精度のばらつき、また、壁８１に浴室開口８２を形成する加工精度のばらつき等により、浴室開口８２の両脇の壁８１の幅が４０ｍｍより狭くなってしまう虞がある。このため、浴室開口８２、及び、縦枠接合部材３７を、上記寸法ばらつき等を吸収可能な吸収代を含めたサイズに形成する。
【００７０】
例えば、既設枠５０、改装枠１１、上枠接合部材３５、下枠接合部材３６、縦枠接合部材３７、上枠接合部材固定金具４０、下枠ブラケット３９、及び、浴室ユニット８０の寸法ばらつきや施工時の施工精度のばらつき、また、壁８１に浴室開口８２を形成する加工精度などを積み上げた寸法を吸収するための吸収代として、浴室開口８２の両脇の壁８１に片側あたり２０ｍｍ必要であるとする。  
このため、上記吸収代を含めた浴室開口８２の開口幅Ｗは、最大開口幅ＷＭＡＸに片側あたり２０ｍｍの吸収代を設けた幅となり、（式２）にて示される。  
Ｗ＝１５２０−２０×２
＝１４８０  ・・・（式２）
【００７１】
そして、浴室ユニット８０側の寸法に制約されつつも浴室の開口を最大のサイズにするためには、改装枠１１にて形成される改装枠開口１１ｄを、浴室ユニット８０側の寸法に制約された開口幅Ｗに合わせればよいので、既設枠５０の内周側に１４８０ｍｍ以下の改装枠開口１１ｄが形成されるように、縦枠接合部材３７の見付け方向の幅Ｗｋを決定する（式３）。  
Ｗｋ＝（１６５０―１４８０）／２
＝８５・・・（式３）
このように、見付け方向の幅が８５ｍｍ以上の縦枠接合部材３７を用いて改装枠１１を既設枠５０に取り付けることにより、寸法公差や取付誤差などがどのように作用しても取り付けても、改装枠開口１１ｄの方が浴室開口８２より狭くなるように施工することが可能である。このため、浴室ユニット８０の壁８１の強度を確保しつつ改装サッシ１０の戸先框が壁８１にて隠されることがないように改装することが可能となる。
【００７２】
本実施形態の改装サッシユニット１によれば、改装枠開口１１ｄが浴室ユニット８０側の制約により決定される理想的な最大開口幅ＷＭＡＸより狭くなるように予め形成された縦枠接合部材３７が既設枠５０との間に介在されるので、浴室ユニット８０側に形成する浴室開口８２の幅を最も広くしたとしても、改装枠開口１１ｄが浴室ユニット８０側の浴室開口８２より広くなることはない。そして、浴室ユニット８０側の浴室開口８２より狭い改装枠開口１１ｄを形成する改装枠１１と、浴室ユニット８０に浴室開口８２を形成すべく加工された壁８１とが接合されるので、改装枠１１にて形成される改装枠開口１１ｄに合わせて壁８１を加工して浴室開口８２を形成し、浴室ユニット８０の浴室開口８２と、改装枠１１にて形成される改装枠開口１１ｄとを繋ぐことが可能である。このため、浴室ユニット８０とともに改装サッシ１０が改装されて美観に優れた浴室に改装することが可能である。
【００７３】
また、改装枠開口１１ｄは浴室ユニット８０側の浴室開口８２より狭いので、改装枠１１に取り付けられる障子の戸先框が浴室ユニット８０により隠れることはない。このため、改装サッシ１０の開閉操作性にも優れた改装サッシユニット１を提供することが可能である。
【００７４】
また、浴室ユニット８０側の制約だけでなく、浴室ユニット８０の壁８１の強度を確保し、また、躯体３、既設枠５０、改装枠１１、上枠接合部材３５、下枠接合部材３６、縦枠接合部材３７、上枠接合部材固定金具４０、下枠ブラケット３９、及び、浴室ユニット８０の各々の寸法誤差及びそれらの施工誤差も吸収して、浴室ユニット８０及び改装サッシ１０を改装することが可能である。このため、浴室ユニット８０及び改装サッシ１０の納まりを確実に綺麗に仕上げることが可能である。
【００７５】
また、浴室ユニット８０側の浴室開口８２を形成する壁８１は樹脂製の平板なので、中空の押出形成部材である縦枠接合部材３７より加工が容易である。このため、浴室ユニット８０側の浴室開口８２を改装枠１１にて形成される改装枠開口１１ｄの幅に合わせて形成することが可能であり、容易に改装することが可能である。
【００７６】
また、改装枠１１の改装上枠本体１３に嵌合された上額縁固定部材１７の額縁固定部１７ｂ、改装下枠本体１４の額縁固定部１４ｌ及び下額縁固定部材１９ａの額縁固定部１９ｃ、改装縦枠本体１５に嵌合された縦額縁固定部材１８の額縁固定部１８ｂと改装額縁６０の見込み部６１ａ、６２ａ、６３ａの室外側の端部と重ねられて固定され、壁８１の浴室開口８２の周端部と改装額縁６０の見付け部６１ｂ、６２ｂ、６３ｂとが重ねられて固定されるので、壁８１に形成された浴室開口８２の周縁部及び改装枠の改装上枠本体１３に嵌合された上額縁固定部材１７の額縁固定部１７ｂ、改装下枠本体１４の額縁固定部１４ｌ及び下額縁固定部材１９ａの額縁固定部１９ｃ、改装縦枠本体１５に嵌合された縦額縁固定部材１８の額縁固定部１８ｂとの間を改装額縁６０にて覆って、改装枠１１と壁８１との間をより綺麗に仕上げることが可能である。
【００７７】
また本浴室の改装方法によれば、浴室ユニット８０を設置する前に改装枠１１が取り付けられており、浴室ユニット８０を設置した後に改装枠１１と対向する壁８１に浴室開口８２を形成するので、取り付けられた改装枠１１の位置に合わせるとともに改装枠１１の幅に合わせて浴室ユニット８０の壁８１に浴室開口８２を形成することが可能である。また、改装枠１１にて形成された改装枠開口１１ｄと、浴室開口８２が形成された浴室ユニット８０の壁８１とを改装額縁６０にて繋ぐのでより綺麗に仕上げることが可能である。そして、壁８１の適切な位置に、適切な寸法にて形成された浴室開口８２と、改装枠１１にて形成される改装枠開口１１ｄとが改装額縁６０にて繋がるので、改装額縁６０の内側に突出する物はない。このため、改装サッシ１０の改装障子１２ａ、１２ｂが有する戸先框は隠されないので、開閉の操作性に優れた改装サッシユニット１を備えることが可能である。
【００７８】
上記浴室開口８２の加工に関する説明にて用いた寸法は例示であり、これに限るものではない。例えば、上記実施形態においては、壁８１の強度を確保するための幅を４０ｍｍとし、寸法ばらつきや施工ばらつきなどを吸収するための吸収代を２０ｍｍとしたが、これに限るものではない。具体的には、寸法ばらつきや寸法誤差、施工ばらつきや施工誤差、及び、設計公差等を積み上げたときに確実に、改装枠開口１１ｄが浴室開口８２より小さくなるように設定されていればよい。
【００７９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００８０】
上記実施形態においては、浴室ユニット８０の壁材８１ａを、平板状をなす樹脂製の部材としたが、これに限るものではない。たとえば、鋼板であったり石膏ボードを保湿シートにてコーティングした板材など、浴室開口８２が形成可能な部材であれば形状及び材質はこれに限らない。
【００８１】
また、上記実施形態においては、浴室開口８２の両脇の壁幅及び左右の縦枠接合部材３７の見付け方向の幅を、左右同じ幅に形成した例について説明したが、これに限らず、左右の幅は相違しても良い。例えば、浴室開口８２の両脇のうちの一方を、壁材８１ａの接合部材８３に額縁６０を当接させて設け、この額縁６０の見込方向に延びる見込み部６３ａと重なるように額縁固定部１８ｂが配置されるような幅に形成された縦枠接合部材３７を、前記一方側に用いても良い。
【００８２】
また、浴室開口８２の両脇のうちの一方の壁の幅及び左右のうちの一方の縦枠接合部材３７の見付け方向の幅を、他方の幅より広くしても構わない。
【００８３】
また、上記実施形態においては、改装枠１１と浴室ユニット８０との間に額縁６０が介在されている例について説明したが、改装枠１１の浴室側の端部が、浴室開口８２の両脇の壁８１に直接連結されていても良い。
【符号の説明】
【００８４】
１  改装サッシユニット、３  躯体、３ｃ  柱、３ｄ  柱芯、１０  改装サッシ、
１１  改装枠、１１ａ  改装上枠、１１ｂ  改装下枠、１１ｃ  改装縦枠、
１１ｄ  改装枠開口、１３  改装上枠本体、１４  改装下枠本体、
１４ｌ  額縁固定部、１５  改装縦枠本体、１７  上額縁固定部材、
１７ｂ  額縁固定部、１８  縦額縁固定部材、１８ｂ  額縁固定部、
１９ａ  下額縁固定部材、１９ｃ  額縁固定部、３５  上枠接合部材、
３６  下枠接合部材、３７  縦枠接合部材、５０  既設枠、６０  改装額縁、
６１  上額縁部、６１ａ  見込み部、６１ｂ  見付け部、６２  下額縁部、
６２ａ  見込み部、６２ｂ  見付け部、６３  縦額縁部、６３ａ  見込み部、
６３ｂ  見付け部、８０  浴室ユニット、８１  壁、８２  浴室開口、
ＷＭＡＸ  最大開口幅
【図１】
0005439399.tif 000002
【図２】
0005439399.tif 000003
【図３】
0005439399.tif 000004
【図４】
0005439399.tif 000005